(57)【要約】【課題】室内の明るさが異なる場合であっても、スクリーン上の画像に対して最適な見易さが得られるように、的確かつ高精度の調整を可能にするとともに、迅速かつ容易な調整を可能にする。【解決手段】スクリーンＳに所定の画像を投射するプロジェクタ１を構成するに際して、スクリーンＳの明るさＬｓを検出する検出部２と、少なくとも画像の投射時と同一条件の外光環境下におけるスクリーンＳの明るさＬｓに基づいて、少なくとも画像を投射する際の投射光量Ｌｏを、当該明るさＬｓに対応した投射光量Ｌｏに自動で調整する自動光量調整部３を備える。【選択図】図１
2004279580.tif 000002
【特許請求の範囲】
【請求項１】
スクリーンに画像を投射するプロジェクタにおいて、前記スクリーンの明るさを検出する検出部と、少なくとも前記画像の投射時と同一条件の外光環境下における前記スクリーンの明るさに基づいて、少なくとも前記画像を投射する際の投射光量を、当該明るさに対応した投射光量に自動で調整する自動光量調整部を備えることを特徴とするプロジェクタ。
【請求項２】
前記検出部は、前記スクリーンからの光を入光させる検出用光学系と、この検出用光学系を通過した光量を定量的に検出する光センサを備えることを特徴とする請求項１記載のプロジェクタ。
【請求項３】
前記自動光量調整部は、一又は二以上の異なる調整用パターンを異なるタイミングで投射するとともに、一又は二以上の異なる調整用パターンが投射されたスクリーンの明るさに対応した投射光量に調整する機能を備えることを特徴とする請求項１記載のプロジェクタ。
【請求項４】
前記自動光量調整部は、前記画像を投射する投射光学系に配設した絞り部の絞り量を可変して前記投射光量を調整する絞り可変部を備えることを特徴とする請求項１記載のプロジェクタ。
【請求項５】
前記自動光量調整部は、光源ランプに対する供給電力を可変して前記投射光量を調整する光源可変部を備えることを特徴とする請求項１記載のプロジェクタ。
【請求項６】
前記自動光量調整部は、光源ランプに対する供給電力を可変して前記投射光量を調整する光源可変部と、前記投射光量に対応して前記光源ランプを空冷する送風ファンの風量を調整する風量可変部を備えることを特徴とする請求項１記載のプロジェクタ。
【発明の詳細な説明】
【０００１】
【発明の属する技術分野】
本発明は、スクリーンに画像を投射する液晶プロジェクタ等のプロジェクタに関する。
【０００２】
【従来の技術】
一般に、スクリーンに画像を投射するプロジェクタとしては、液晶プロジェクタ，ＤＬＰプロジェクタ及び三管式プロジェクタ等が知られている。また、用途に着目した場合、従来より広く普及しているデータプロジェクタ等の業務用プロジェクタをはじめ、一般家庭でホームシアターを構築する際に用いる家庭用プロジェクタも普及するに至っている。
【０００３】
ところで、家庭用プロジェクタは、通常、リビング等の既存の部屋に設置することが多いため、昼間と夜間では室内の明るさ（外光環境）が異なるとともに、雰囲気を薄暗い照明環境にするなど、個々人の好みや気分等によって室内の明るさを変更する場合も少なくない。一方、この種のプロジェクタは、自ら発光するテレビジョン受像機とは異なり、スクリーンに画像を投射する方式であるため、低度の外光ノイズによっても見易さが大きく影響を受けてしまう固有の問題を有している。
【０００４】
従来、テレビジョン受像機の技術分野では、室内の明るさに対応して、画面の明るさ又はコントラストを自動で調整できるようにしたテレビジョン受像機が、特開２０００−１０１９４２号公報で知られている。同公報には、明るさ検知手段により部屋の明るさを感知し、感知した明るさに応じて画面の明るさ又はコントラストを自動で調整することにより、消費電力を下げるようにしたカラーテレビ受像機、さらにはデジタル放送信号に重畳されて送信される標準時間により季節に応じた日の出と日没の時間を算出し、この算出した時間に基づいて、画面の明るさ又はコントラストを自動で調整することにより、部屋の明るさを直接感知する際の欠点を解消するようにしたカラーテレビ受像機が開示されている。
【特許文献１】
特開２０００−１０１９４２号公報
【０００５】
【発明が解決しようとする課題】
しかし、プロジェクタは、上述のようにスクリーンに画像を投射する方式であるため、室内の明るさ（外光ノイズ）により見易さが影響を受ける度合は、自ら発光するテレビジョン受像機よりも著しく大きくなるとともに、その影響の受け方も異なるものとなり、テレビジョン受像機のように、単に室内の明るさを感知して画面の明るさ又はコントラストを調整する方法では、スクリーン上の画像に対する見易さを的確かつ高精度に調整することができない問題があった。
【０００６】
本発明は、このような従来の技術に存在する課題を解決したものであり、室内の明るさが異なる場合であっても、スクリーン上の画像に対して最適な見易さが得られるように、的確かつ高精度に調整できるとともに、迅速かつ容易に調整できるようにしたプロジェクタの提供を目的とする。
【０００７】
【課題を解決するための手段及び実施の形態】
本発明は、スクリーンＳに画像を投射するプロジェクタ１を構成するに際して、スクリーンＳの明るさを検出する検出部２と、少なくとも画像の投射時と同一条件の外光環境下におけるスクリーンＳの明るさＬｓに基づいて、少なくとも画像を投射する際の投射光量Ｌｏを、当該明るさＬｓに対応した投射光量Ｌｏに自動で調整する自動光量調整部３を設けたことを特徴とする。
【０００８】
この場合、好適な実施の形態により、検出部２は、スクリーンＳからの光を入光させる検出用光学系１１と、この検出用光学系１１を通過した光量を定量的に検出する光センサ１２を備えて構成できる。一方、自動光量調整部３は、一又は二以上の異なる調整用パターンを異なるタイミングで投射するとともに、一又は二以上の異なる調整用パターンが投射されたスクリーンＳの明るさＬｓに対応した投射光量Ｌｏに調整する機能を備えて構成できる。また、自動光量調整部３は、画像を投射する投射光学系１３に配設した絞り部１４の絞り量を可変して投射光量Ｌｏを調整する絞り可変部１５を用いる形態，光源ランプ１６に対する供給電力を可変して投射光量Ｌｏを調整する光源可変部１９を用いる形態等により実施することができる。なお、光源可変部１９を用いる形態の場合には、さらに、投射光量Ｌｏに対応して光源ランプ１６を空冷する送風ファン２０の風量を調整する風量可変部２１を用いて構成することもできる。
【０００９】
これにより、スクリーンＳに画像を投射する前に、少なくとも画像の投射時と同一条件の室内環境下におけるスクリーンＳの明るさＬｓが検出部２により検出されるとともに、この検出された明るさＬｓに基づいて、自動光量調整部３により、少なくとも画像を投射する際の投射光量ＬｏがスクリーンＳの明るさＬｓに対応した投射光量Ｌｏに自動で調整される。
【００１０】
【実施例】
次に、本発明に係る好適な実施例を挙げ、図面に基づき詳細に説明する。
【００１１】
まず、本実施例に係るプロジェクタ１の構成について、図１〜図３を参照して説明する。
【００１２】
図１は、プロジェクタ（液晶プロジェクタ）１のブロック系統を示す。プロジェクタ１は、複数の投射レンズ１３ａ，１３ｂ…を有する投射光学系１３と、この投射光学系１３の後方に配した偏光ビームスプリッタ３１と、楕円鏡に高輝度ランプをセットした光源ランプ１６と、この光源ランプ１６と偏光ビームスプリッタ３１間に配して光源ランプ１６の光を偏光ビームスプリッタ３１に入光させる光源用偏光ビームスプリッタ３２と、偏光ビームスプリッタ３１に対向し、かつ光源用偏光ビームスプリッタ３２に対して反対側に配した反射式液晶パネル３３と、この液晶パネル３３を駆動する液晶駆動部３４と、入力する画像信号を信号処理して液晶駆動部３４に付与する画像信号処理部３５を備えており、これらは液晶プロジェクタにおける公知の基本回路（基本系統）Ｃを構成する。
【００１３】
また、プロジェクタ１は、このような基本回路Ｃに加えて、スクリーンＳの明るさを検出する検出部２と、少なくとも画像の投射時と同一条件の外光環境下におけるスクリーンＳの明るさＬｓに基づいて、少なくとも画像を投射する際の投射光量Ｌｏを、当該明るさＬｓに対応した投射光量Ｌｏに自動で調整する自動光量調整部３を備える。
【００１４】
検出部２は、スクリーンＳからの光を入光させる一又は二以上の入光レンズ１１ａ…を有する検出用光学系１１と、この検出用光学系１１を通過した光量（明るさＬｓ）を定量的に検出する光センサ１２を備える。この場合、検出用光学系１１は、検出範囲を限定するためのものであり、これにより、スクリーンＳのみの明るさを検出できる。したがって、検出用光学系１１は、図２に示すように、プロジェクタ１の前面パネル１ｆ上であって、投射光学系１３の投射方向と同一方向に向けて配設する。なお、光センサ１２は、光量を定量的に検出（測定）できるフォトダイオード等の光電気変換素子を用いる。
【００１５】
一方、自動光量調整部３は、光センサ１２から得る検出信号（アナログ信号）をレベル増幅するアンプ３６と、このアンプ３６の出力信号をアナログ−ディジタル信号変換するＡ／Ｄ変換器３７を備える。また、ＣＰＵを含む処理部３８を備え、この処理部３８にはメモリ３９が接続されるとともに、Ａ／Ｄ変換器３７の出力信号（検出データ）が付与される。さらに、処理部３８から出力する制御信号（制御データ）が付与される絞り可変部１５を備えるとともに、処理部３８から出力する処理信号に基づいて調整信号を生成し、この調整信号を画像信号処理部３５に付与する調整信号発生部４０を備える。この場合、絞り可変部１５は、投射光学系１３に配設することにより絞り量（開口径）を可変できる絞り部１４と、この絞り部１４を駆動制御する絞り駆動部４１を備え、この絞り駆動部４１は、ドライバ４２を介して処理部３８に接続する。
【００１６】
この処理部３８は、演算及び制御等の各種処理を実行する。特に、メモリ３９に格納された処理プログラムに基づいて、二つの異なる調整用パターン、即ち、黒パターンと白パターンを異なるタイミングで投射するとともに、黒パターンと白パターンが投射されたスクリーンＳのそれぞれの明るさＬｓに基づいて、対応する投射光量Ｌｏになるように、絞り可変部１５を制御する機能を備える。したがって、メモリ３９には、検出データ（明るさＬｓ）に対応した最適な投射光量Ｌｏを得るためのデータテーブル或いは演算を行う演算式（演算プログラム）を予め設定する。
【００１７】
このようなデータテーブル（演算式）は、次のように設定することができる。図３は、室内の外光環境を異ならせた際における白照度に対する見易さ度を示したものである。同図から明らかなように、外光がほとんど無い暗い室内（外光０．１〔Ｌｕｘ〕）の場合、白は、その照度の大きさに拘わらず相対的に最も見易くなるとともに、特に、照度１４０〔Ｌｕｘ〕付近が最も見易く、かつこれよりも照度が小さく或いは大きくなった場合には次第に見にくくなる。これに対して、比較的明るい室内（外光２４〔Ｌｕｘ〕）の場合、白は、いずれの照度においても相対的に見にくくなるとともに、照度が大きくなるに従って見易くなる。なお、一般的には、十分に暗い環境の場合、白照度が１０００〔Ｌｕｘ〕以上になると眩し過ぎて目が疲労しやすい。一方、外光が入ると照度の低い部分の階調性が急激に低下するため、全体の明るさを大きくすることによって、この点を改善することができる。
【００１８】
したがって、データテーブルは、このような室内の明るさＬｓに対応した最も見易い白照度が得られる投射光量Ｌｏを設定することができる。本実施例に係るプロジェクタ１では、黒パターンを投射したスクリーンＳの明るさＬｓを検出して外光の度合を得ることができるとともに、白パターンを投射したスクリーンＳの明るさを検出して上述した白照度を得ることができる。このため、データテーブルは、室内における外光の大きさ（明るさＬｓ）が大きくなるに従って投射光量Ｌｏも大きくなる特性をもたせるとともに、図３の特性や実験等に基づいて特性補償したものを用いることができる。一方、データテーブルが得られれば、必要に応じて当該特性（変換関数）に近似する演算式（演算プログラム）を求めることができる。
【００１９】
次に、本実施例に係るプロジェクタ１における要部の動作について、各図を参照しつつ図４に示すフローチャートに従って説明する。
【００２０】
まず、プロジェクタ１における不図示の電源スイッチをＯＮにする（ステップＳ１）。次いで、光量自動設定モードを選択する（ステップＳ２）。なお、この光量自動設定モードは、予め設定画面により設定し、電源スイッチがＯＮしたなら自動で移行するようにしてもよい。光量自動設定モードでは、最初に、スクリーンＳに、所定のメッセージが表示される。即ち、プロジェクタ１の場合、電源投入時には、ソース側のリモコン操作等を行うため、室内の照明が点灯するなどにより、画像（ソース）の投射時と同一条件の外光環境になっていない場合がある。したがって、この状態で光量自動設定モードが実行されれば、かえって不正確な設定が行われてしまう。このような不具合を回避するため、スクリーンＳに、例えば、「光量自動設定モードを実行します。投映時と同じ照明状態にして下さい」等のメッセージが表示される（ステップＳ３）。
【００２１】
この後、スタートキーをＯＮすれば、投射光量Ｌｏの設定が自動で行われる（ステップＳ４）。まず、スクーンＳに黒パターンが表示されるとともに、検出部２により、黒パターンが表示されたタイミングでスクーンＳの明るさが検出される（ステップＳ５，Ｓ６）。即ち、スクーンＳからの光が検出用光学系１１に入光するため、この検出用光学系１１を通過した光量（明るさＬｓ）が光センサ１２により定量的に検出される。この検出が一回目の検出となる。これにより、光センサ１２からは検出信号が出力し、この検出信号は、アンプ３６及びＡ／Ｄ変換器３７を介して処理部３８に付与される。この場合、スクーンＳの全面に黒パターンが表示されるため、非投射状態と同じになり、室内における純粋な外光の大きさ（明るさＬｓ）が検出されることになる。そして、明るさＬｓに係る検出データはメモリ３９に書込まれる（ステップＳ７）。
【００２２】
次いで、スクーンＳに白パターンが表示されるとともに、検出部２により、白パターンが表示されたタイミングでスクーンＳの明るさが一回目の検出と同様に検出される（ステップＳ８，Ｓ９）。この検出が二回目の検出となる。この場合、スクーンＳの全面に白パターンが表示されるため、外光を含む白照度（白の明るさ）が検出される。そして、白照度（明るさＬｓ）に係る検出データはメモリ３９に書込まれる（ステップＳ１０）。
【００２３】
一方、メモリ３９に書込まれた一回目の検出データと二回目の検出データに基づく投射光量Ｌｏを、メモリ３９に格納されたデータテーブルから求める（ステップＳ１１）。この場合、一回目の検出データは、外光の大きさを表すため、この一回目の検出データに対応する投射光量Ｌｏ（Ｌｏａ）をデータテーブルから求める。また、二回目の検出データと一回目の検出データの差分を演算により求めれば、外光を含む白照度（二回目の検出データ）から外光の明るさ（一回目の検出データ）を除いた純粋な白パターンに係る投射光量Ｌｏ（Ｌｏｂ）が得られる。一回目の検出データに対応する投射光量Ｌｏａは、白パターンを投射した際における最適な投射光量となるため、上記投射光量Ｌｏｂが投射光量Ｌｏａに一致或いは近付くように絞り可変部１５が制御される。即ち、処理部３８により、ＬｏｂとＬｏａの偏差に基づいて生成された指令信号（指令データ）がドライバ４２に付与されるとともに、ドライバ４２から当該指令信号に対応する制御信号が絞り駆動部４１に付与される。さらに、絞り駆動部４１から当該制御信号に対応する駆動信号が絞り部１４に付与され、絞り部１４における開口径が可変制御されることにより、スクリーンＳに対する目的の投射光量Ｌｏが自動で設定される（ステップＳ１２）。
【００２４】
他方、外光の明るさＬｓに基づいて、投射光量Ｌｏ以外の要素、特に、画像信号に対する色温度やコントラスト等の他の調整（補正）を行う場合には、調整信号発生部４０により生成した調整信号を、画像信号処理部３５に付与することにより行うことができる。
【００２５】
このように、本実施例に係るプロジェクタ１によれば、スクリーンＳに画像を投射する前に、少なくとも画像の投射時と同一条件の室内環境下におけるスクリーンＳの明るさＬｓが検出部２により検出されるとともに、この検出された明るさＬｓに基づいて、自動光量調整部３により、少なくとも画像を投射する際の投射光量ＬｏがスクリーンＳの明るさＬｓに対応した投射光量Ｌｏに自動で調整されるため、特に、室内の明るさが異なる場合であっても、スクリーンＳ上の画像に対して最適な見易さが得られるように、的確かつ高精度の調整が行われるとともに、加えて迅速かつ容易な調整が可能となる。
【００２６】
なお、図５〜図７は、本発明に係るプロジェクタ１の変更実施例、特に、自動光量調整部３の各種変更例を示す。
【００２７】
図５は、自動光量調整部３を構成するに際し、光源ランプ１６からの光を通過させる偏光フィルタ部１７の偏光量を可変して投射光量Ｌｏを調整するフィルタ可変部１８を用いた場合を示す。即ち、偏光ビームスプリッタ３１と光源用偏光ビームスプリッタ３２の間に、偏光フィルタ部１７を配設するとともに、この偏光フィルタ部１７を駆動して偏光量を可変するフィルタ駆動部５１を設ける。また、このフィルタ駆動部５１は、ドライバ５２を介して処理部３８に接続する。これにより、処理部３８からは、設定する投射光量Ｌｏに対応する指令信号（指令データ）がドライバ５２に付与されるとともに、ドライバ５２から当該指令信号に対応する制御信号がフィルタ駆動部５１に付与され、さらに、フィルタ駆動部５１から当該制御信号に対応する駆動信号が偏光フィルタ部１７に付与される。この結果、光フィルタ部１７が駆動されることにより偏光量が可変制御され、スクリーンＳに対する目的の投射光量Ｌｏが自動で設定される。なお、その他の構成は、図１に示した自動光量調整部３と基本的に同じである。このため、図５において、図１と同一部分には、同一符号を付してその構成を明確にするとともに、その詳細な説明は省略する。
【００２８】
図６は、自動光量調整部３を構成するに際し、光源ランプ１６に対する供給電力を可変して投射光量Ｌｏを調整する光源可変部１９を用いた場合を示す。この光源可変部１９は処理部３８に接続する。これにより、処理部３８からは、設定する投射光量Ｌｏに対応する指令信号（指令データ）が光源可変部１９に付与されるとともに、光源ランプ１６に対する供給電力を可変制御され、スクリーンＳに対する目的の投射光量Ｌｏが自動で設定される。この変更実施例では、光源ランプ１６に対する供給電力が可変されることから、投射光量Ｌｏを減少させた際には、消費電力の低減効果が得られる。しかし、色温度等の特性も変わるため、調整信号発生部４０から調整信号を画像信号処理部３５に付与することにより、必要な特性補償を行う。なお、その他の構成は、図１に示した自動光量調整部３と基本的に同じである。このため、図６において、図１と同一部分には、同一符号を付してその構成を明確にするとともに、その詳細な説明は省略する。
【００２９】
図７は、自動光量調整部３を構成するに際し、図６の自動光量調整部３に加えて、さらに、投射光量Ｌｏに対応して光源ランプ１６を空冷する送風ファン２０の風量を調整する風量可変部２１を用いたものである。この風量可変部２１は処理部３８に接続する。これにより、処理部３８からは、設定する投射光量Ｌｏに対応する指令信号（指令データ）が光源可変部１９及び風量可変部２１の双方に付与される。この変更実施例では、上述のように、投射光量Ｌｏを減少させた際には、消費電力の低減効果が得られることに加え、さらに、これに対応して光源ランプ１６の発熱も減少するため、送風ファン２０の風量を減少させることができる。したがって、消費電力の更なる低減を実現できるとともに、送風ファン２０のファンノイズ（騒音）を低減することができる。なお、その他の構成は、図１に示した自動光量調整部３と基本的に同じである。このため、図７において、図１及び図６と同一部分には、同一符号を付してその構成を明確にするとともに、その詳細な説明は省略する。
【００３０】
以上、実施例について詳細に説明したが、本発明は、このような実施例に限定されるものではなく、細部の回路構成，手法等において、本発明の要旨を逸脱しない範囲で任意に変更，追加，削除することができる。例えば、実施例の自動光量調整部３は、二つの異なる調整用パターンである黒パターンと白パターンを異なるタイミングで投射するとともに、黒パターンと白パターンが投射されたスクリーンＳの明るさＬｓに対応した投射光量Ｌｏに調整する機能をもたせた場合を示したが、調整用パターンは必ずしも投射する必要はなく、何も投射しない状態（黒パターンに対応）でスクリーンＳの明るさＬｓを検出する場合も含まれる。また、必要により、白パターンの代わりに灰色や青色等の中間の特定色を用いてもよいし、黒パターン及び白パターンに加えて一又は二以上の特定色を用いるなど、三つ以上の異なる調整用パターンを用いてもよい。
【００３１】
一方、実施例では、光量自動設定モードを選択することにより、その都度調整できるようにした場合を示したが、光量自動設定モードにより調整及び設定したデータを記憶しておき、以後は、設定したデータを任意に選択できるようにしてもよい。また、明るい室内と暗い室内に対してユーザ自身が好みの投射光量Ｌｏを設定し、これに基づいてデータテーブル（演算式）を自動で設定するようにしてもよい。例えば、明るい室内と暗い室内に対応するデータにより、最も単純には一次関数が成立するため、中間の明るさに対しては、この一次関数に従って設定することもできる。
【００３２】
さらに、本発明における投射光学系１３とは、少なくとも光源ランプ１６からの光が通過する系を全て含む概念である。したがって、図１に示す絞り部１４は、光源ランプ１６と光源用偏光ビームスプリッタ３２間における仮想線で示す照明用レンズ１３ｘ，１３ｙ…に付設してもよい。
【００３３】
【発明の効果】
このように、本発明に係るプロジェクタは、スクリーンの明るさを検出する検出部と、少なくとも画像の投射時と同一条件の外光環境下におけるスクリーンの明るさに基づいて、少なくとも画像を投射する際の投射光量を、当該明るさに対応した投射光量に自動で調整する自動光量調整部を備えるため、次のような顕著な効果を奏する。
【００３４】
（１）  室内の明るさが異なる場合であっても、スクリーンの明るさを直接検出するようにしたため、スクリーン上の画像に対して最適な見易さが得られるように、的確かつ高精度に調整できるとともに、迅速かつ容易に調整できる。
【００３５】
（２）  好適な実施の形態により、自動光量調整部を、一又は二以上の異なる調整用パターンを異なるタイミングで投射するとともに、一又は二以上の異なる調整用パターンが投射されたスクリーンの明るさに対応した投射光量に調整する機能をもたせれば、投射光量に対する更なる的確で高精度の調整を行うことができる。
【００３６】
（３）  好適な実施の形態により、自動光量調整部を構成するに際し、画像を投射する投射光学系に配設した絞り部の絞り量を可変して投射光量を調整する絞り可変部を用いれば、色温度等の特性を変化させることなく容易に調整することができる。
【００３７】
（４）  好適な実施の形態により、自動光量調整部を構成するに際し、光源ランプに対する供給電力を可変して投射光量を調整する光源可変部を用いれば、消費電力の低減を図ることができる。
【００３８】
（５）  好適な実施の形態により、自動光量調整部を構成するに際し、光源ランプに対する供給電力を可変して投射光量を調整する光源可変部と、投射光量に対応して光源ランプを空冷する送風ファンの風量を調整する風量可変部の双方を用いれば、消費電力の更なる低減を図れるとともに、ファンノイズ（騒音）を低減することができる。
【図面の簡単な説明】
【図１】本発明の好適な実施例に係るプロジェクタのブロック系統図、
【図２】同プロジェクタの外観斜視図、
【図３】白照度に対する見易さ度の特性図、
【図４】同プロジェクタにおける要部の動作を説明するためのフローチャート、
【図５】本発明の変更実施例に係るプロジェクタの自動光量調整部の変更例を示すブロック系統図、
【図６】本発明の変更実施例に係るプロジェクタの自動光量調整部の他の変更例を示すブロック系統図、
【図７】本発明の変更実施例に係るプロジェクタの自動光量調整部の他の変更例を示すブロック系統図、
【符号の説明】
１    プロジェクタ
２    検出部
３    自動光量調整部
１１  検出用光学系
１２  光センサ
１３  投射光学系
１４  絞り部
１５  絞り可変部
１６  光源ランプ
１９  光源可変部
２０  送風ファン
２１  風量可変部
Ｓ    スクリーン
Ｌｓ  光量
Ｌｏ  投射光量
【図１】
2004279580.tif 000003
【図２】
2004279580.tif 000004
【図３】
2004279580.tif 000005
【図４】
2004279580.tif 000006
【図５】
2004279580.tif 000007
【図６】
2004279580.tif 000008
【図７】
2004279580.tif 000009